(57)【要約】      （修正有）【課題】環境照度が変化する状況において、環境光のレベルに従って画像のコントラストを適応させる方法を提供する。【解決手段】環境照度レベルを測定するＳ１０こと、画像を表す信号の低周波部に対して環境照度レベルによって決まる伝達関数を適用することにより低周波部を修正すること、信号の修正された低周波部を信号の高周波部と組み合わせることにより画像を調整するＳ１２こと、および、表示装置での表示用に調整した画像を提供Ｓ１４することにより画像の表示可視性を適応させること、を含む。【選択図】図１
2019049692.tif 000002
【特許請求の範囲】
【請求項１】
画像の表示可視性を適応させる方法であって、
環境照度レベルを測定すること（Ｓ１０）、
前記画像を表す信号の低周波部に対して、前記環境照度レベルによって決まる伝達関数を適用することにより、前記低周波部を修正すること、
前記信号の前記修正された低周波部を前記信号の高周波部と組み合わせることにより、前記画像を調整すること（Ｓ１２）、および、
表示装置での表示用に前記調整した画像を提供すること（Ｓ１４）により、前記画像の前記表示可視性を適応させること、
を含む、方法。
【請求項２】
前記画像調整が、前記環境照度レベルの関数として実行されるか、または、実行されない、請求項１に記載の方法。
【請求項３】
前記高周波部が、前記修正された低周波部との組み合わせに先立って、前記環境照度レベルによって決まる係数で増幅される、請求項１に記載の方法。
【請求項４】
前記環境照度レベルとともに増加する第１の関数によって、前記伝達関数のパラメータが求められる、請求項３に記載の方法。
【請求項５】
前記係数が、前記環境照度レベルとともに増加する第２の関数によって求められる、請求項３または４に記載の方法。
【請求項６】
前記係数が、前記画像のコントラストレベルおよび前記環境照度レベルの組み合わせを表す知覚コントラストレベルとともに減少する第４の関数によって求められる、請求項３または４に記載の方法。
【請求項７】
前記知覚コントラストレベルが、前記環境照度レベルとともに減少する第３の関数で前記コントラストレベルを局所的に調整することによって決定される、請求項６に記載の方法。
【請求項８】
画像の表示可視性を適応させる表示装置であって、
環境照度レベルを測定する手段（３２）と、
前記画像を表す信号の低周波部に対して、前記環境照度レベルによって決まる伝達関数を適用することにより、前記低周波部を修正する手段と、
前記信号の前記修正された低周波部を前記信号の高周波部と組み合わせることにより、前記画像を調整する手段（３４）と、
前記調整された画像を表示する手段（３８）と、
を備えた、装置。
【請求項９】
前記画像調整が、前記環境照度レベルの関数として実行されるか、または、実行されない、請求項８に記載の装置。
【請求項１０】
前記高周波部が、前記修正された低周波部との組み合わせに先立って、前記環境照度レベルによって決まる係数で増幅される、請求項８に記載の装置。
【請求項１１】
前記環境照度レベルとともに増加する第１の関数によって、前記伝達関数のパラメータが求められる、請求項８に記載の装置。
【請求項１２】
前記係数が、前記環境照度レベルとともに増加する第２の関数によって求められる、請求項１０または１１に記載の装置。
【請求項１３】
前記係数が、前記画像のコントラストレベルおよび前記環境照度レベルの組み合わせを表す知覚コントラストレベルとともに減少する第４の関数によって求められる、請求項１０または１１に記載の装置。
【請求項１４】
前記知覚コントラストレベルが、前記環境照度レベルとともに減少する第３の関数で前記コントラストレベルを局所的に調整することによって決定される、請求項１３に記載の装置。
【請求項１５】
画像の表示可視性を適応させるコンピュータプログラム製品であって、
環境照度レベルを測定すること（Ｓ１０）、
前記画像を表す信号の低周波部に対して、前記環境照度レベルによって決まる伝達関数を適用することにより、前記低周波部を修正すること、
前記信号の前記修正された低周波部を前記信号の高周波部と組み合わせることにより、前記画像を調整すること（Ｓ１２）、および、
表示装置での表示用に前記調整した画像を提供すること（Ｓ１４）により、前記画像の前記表示可視性を適応させること、
を行うプロセッサにより実行可能なプログラムコード命令を含む、コンピュータプログラム製品。
【発明の詳細な説明】
【技術分野】
【０００１】
本開示は、視認条件が変化する中での画像表示の領域に関する。
【背景技術】
【０００２】
たとえば好天時の屋外環境等の明るい条件においては、画像の可視表示が課題である。いくつかの既知の方法では、表示画面の輝度を高くすることにより、非常に明るい条件下での表示画像の可視性を向上させるように提案している。これらの技術は、高品質画像の可視性を向上させるものの、低品質画像に対しては必ずしも十分に機能しない。たとえば、画像がノイズまたは不鮮明エリアを含む場合は、輝度を高くしても画像の全体的な可視性は向上しない。照明条件が変化する中でより広範囲の画像の可視性を向上させる新たな方法が求められている。
【発明の概要】
【０００３】
環境照度が変化する状況において、際立った着想は、環境光のレベルに従って画像のコントラストを適応させることにより、画像を調整することである。コントラストを強くすると、表示物をより区別しやすくなることが知られており、全体的な画像品質に何らかの影響がある。環境光が強くなるにつれてコントラスト増強レベルを高くすると、高レベルの環境光中で表示物を区別しやすい状態を保つことができるため都合が良いものの、品質が全体的に損なわれ、高レベルの環境光中での知覚が低下する。
【０００４】
このため、画像の表示可視性を適応させる方法が開示される。この方法は、
環境照度レベルを測定すること、
画像を表す信号の低周波部に対して、環境照度レベルによって決まる伝達関数を適用することにより、低周波部を修正すること、
信号の修正された低周波部を信号の高周波部と組み合わせることにより、画像を調整すること、および、
表示装置での表示用に調整した画像を提供することにより、画像の表示可視性を適応させること、
を含む。
【０００５】
一変形例によれば、画像調整は、環境照度レベルの関数として実行されるか、または、実行されない。
【０００６】
別の変形例によれば、画像を表す信号が高周波部および低周波部に分離され、画像を調整することが、画像を表す信号の低周波部に対して、環境照度レベルによって決まる伝達関数を適用することにより、低周波部を修正することを含み、修正された低周波部が、表示用に提供される前に、画像を表す信号の高周波部とさらに組み合わされる。
【０００７】
別の変形例によれば、高周波部は、修正された低周波部との組み合わせに先立って、環境照度レベルによって決まる係数で増幅される。
【０００８】
別の変形例によれば、環境照度レベルとともに増加する第１の関数によって、伝達関数のパラメータが求められる。
【０００９】
別の変形例によれば、係数は、環境照度レベルとともに増加する第２の関数によって求められる。
【００１０】
別の変形例によれば、係数は、画像のコントラストレベルおよび環境照度レベルの組み合わせを表す知覚コントラストレベルとともに減少する第４の関数によって求められる。
【００１１】
別の変形例によれば、知覚コントラストレベルは、環境照度レベルとともに減少する第３の関数でコントラストレベルを局所的に調整することによって決定される。
【００１２】
第２の態様においては、画像の表示可視性を適応させる表示装置も開示される。この装置は、
環境照度レベルを測定する手段と、
画像を表す信号の低周波部に対して、環境照度レベルによって決まる伝達関数を適用することにより、低周波部を修正する手段と、
信号の修正された低周波部を信号の高周波部と組み合わせることにより、画像を調整する手段と、
調整された画像を表示する手段と、
を備える。
【００１３】
第３の態様においては、画像の表示可視性を適応させる表示装置も開示される。この装置は、
環境照度レベルを測定するように構成されたセンサと、
画像を表す信号の低周波部に対して、環境照度レベルによって決まる伝達関数を適用することにより、低周波部を修正するように構成され、信号の修正された低周波部を信号の高周波部と組み合わせることにより、画像を調整するようにさらに構成された少なくとも１つのプロセッサと、
を備える。
【００１４】
第４の態様においては、画像の表示可視性を適応させるコンピュータプログラム製品も開示される。このコンピュータプログラム製品は、いずれかの変形例にて実装された方法を実行するプロセッサにより実行可能なプログラムコード命令を含む。
【００１５】
第５の態様においては、画像の表示可視性を適応させるコンピュータ実行可能プログラム命令を格納した持続性コンピュータ可読記憶媒体も開示される。このコンピュータ可読記憶媒体は、いずれかの変形例にて実装された方法を実行する少なくとも１つのプロセッサにより実行可能なプログラムコードの命令を含む。
【００１６】
明示的に記載してはいないものの、本実施形態は、任意の組み合わせまたは副組み合わせで採用されるようになっていてもよい。たとえば、本原理は、上記の変形例に限定されず、変形例および実施形態の任意の構成を使用可能である。さらに、本原理は、上記のパラメトリックなコントラスト増強技術例に限定されず、その他任意の種類のパラメトリックなコントラスト増強が開示の原理と互換性を有する。さらに、本原理は、上記の連続的に増加または減少する関数に限定されず、その他任意の連続的に増加または減少する関数にも適用可能である。さらに、本原理は、上記の鮮明化技術に限定されない。
【００１７】
また、方法に関して記載した如何なる特性、変形例、または実施形態も、開示の方法を処理する手段を備えた装置、開示の方法を処理するように構成されたプロセッサを備えた装置、プログラムコード命令を含むコンピュータプログラム製品、およびプログラム命令を格納した持続性コンピュータ可読記憶媒体と互換性を有する。
【図面の簡単な説明】
【００１８】
【図１】特定かつ非限定的な一実施形態に係る、画像の表示可視性を適応させる方法を示した図である。
【図２】特定かつ非限定的な一実施形態に係る、画像の調整により適応された表示可視性の一例を示した図である。
【図３】特定かつ非限定的な２つの実施形態に係る、画像の表示可視性を適応させる処理装置を表した図である。
【図４】特定かつ非限定的な一実施形態に係る、図３の処理装置の例示的なアーキテクチャを表した図である。
【発明を実施するための形態】
【００１９】
図面は、本開示の考え方を示すことを目的としたものであり、必ずしも、本開示を説明する唯一の考え得る構成ではないことが了解されるものとする。
【００２０】
図中に示す要素は、さまざまな形態のハードウェア、ソフトウェア、またはこれらの組み合わせにて実装可能であることが了解されるものとする。これらの要素は、プロセッサ、メモリ、および入出力インターフェースを具備し得る１つまたは複数の適当にプログラムされた汎用装置上でハードウェアおよびソフトウェアの組み合わせにて実装されているのが好ましい。本明細書において、表現「結合される」は、１つまたは複数の中間構成要素を通じて直接または間接的に接続されることを意味するように規定される。このような中間構成要素としては、ハードウェアおよびソフトウェアの両者に基づく構成要素が挙げられる。
【００２１】
本明細書は、本開示の原理を説明する。したがって、当然のことながら、当業者であれば、本明細書には明示的に説明も図示もしていないものの、本開示の原理を具現化するとともにその範囲に含まれるさまざまな構成を考案可能となる。
【００２２】
本明細書に列挙のすべての例および条件付き表現は、本発明者が当技術の拡大に寄与する本開示の原理および考え方を読者が理解するのに役立つ教育目的を意図しており、このように具体的に列挙される例および条件には限定されないと解釈されるものとする。
【００２３】
さらに、本開示の原理、態様、および実施形態のほか、本開示の具体例を列挙する本明細書のすべての記載内容は、本開示の構造および機能の両面の同等物を網羅することが意図される。また、このような同等物は、現在既知の同等物のほか、将来的に開発される同等物すなわち構造に関わらず同じ機能を実行する任意の開発要素をも含むことが意図される。
【００２４】
したがって、たとえば、当業者には当然のことながら、本明細書に提示のブロック図は、本開示の原理を具現化する例示的な回路の概念図を表す。同様に、当然のことながら、如何なるフローチャート、フロー図、状態遷移図、疑似コード等も、コンピュータ可読媒体において実質的に表されるため、明示的な図示の有無に関わらずコンピュータまたはプロセッサにより実行し得るさまざまなプロセスを表す。
【００２５】
図に示すさまざまな要素の機能は、専用ハードウェアのほか、適当なソフトウェアに関連してソフトウェアを実行可能なハードウェアの使用により提供されるようになっていてもよい。プロセッサによる提供の場合、これらの機能は、単一の専用プロセッサ、単一の共有プロセッサ、または一部共有可能な複数の個々のプロセッサにより提供されるようになっていてもよい。さらに、用語「プロセッサ」または「コントローラ」の明示的な使用は、ソフトウェアを実行可能なハードウェアを排他的に表すものと解釈されるべきではなく、デジタルシグナルプロセッサ（DSP）ハードウェア、ソフトウェアを格納するリードオンリーメモリ（ROM）、ランダムアクセスメモリ（RAM）、および不揮発性ストレージを暗示的に含んでいてもよいが、これらに限定されない。
【００２６】
その他、従来および／またはカスタムのハードウェアが含まれていてもよい。同様に、図中に示す如何なるスイッチも、概念的なものに過ぎない。これらの機能は、プログラムロジックの動作、専用ロジック、プログラム制御および専用ロジックの相互作用、あるいは手動で実行されるようになっていてもよく、文脈からより具体的に理解されるように、特定の技術が実装者によって選択可能である。
【００２７】
本明細書の特許請求の範囲において、特定の機能を実行する手段として表現された如何なる要素も、当該機能を実行する任意の方法を網羅することが意図され、たとえば、ａ）当該機能を実行する回路要素の組み合わせまたはｂ）任意の形態のソフトウェア、すなわち、当該ソフトウェアを実行する適当な回路と組み合わされて当該機能を実行するファームウェア、マイクロコード等が挙げられる。このような特許請求の範囲により規定される本開示は、特許請求の範囲が求めるように、さまざまな列挙手段により提供される機能が組み合わされて一体的にもたらされるという事実に存する。したがって、これらの機能を提供し得る如何なる手段も、本明細書に示す手段と同等であるものと見なされる。
【００２８】
本開示は、変化する照明環境において画像を表示する際の表示可視性の適応と関連する問題に対処する。本原理は、ビデオシーケンスの画像に適用可能である。
【００２９】
図１は、特定かつ非限定的な一実施形態に係る、表示装置上の画像の表示可視性を適応させる方法を示している。ステップＳ１０においては、たとえばカメラの光センサ等の露出計によって、環境照度レベルを測定する。環境光レベルを測定するように構成された任意の光センサが開示の原理と互換性を有する。第１の変形例において、露出計は、表示装置に埋め込まれている。表示装置は、たとえばスマートフォン、タブレット、ラップトップ、またはカメラが埋め込まれたＴＶ受像機である。第２の変形例において、露出計は、表示装置に近接して位置付けられた別個の装置中に位置付けられている。光レベルは、たとえばルクス単位で測定され、その経時的な依存性を反映したＬ（ｔ）で表される。通常の光レベルは、満月の夜（０．５ｌｘ）、屋内リビング（２００〜４００ｌｘ）、および屋外日なた（５０ｋ〜１００ｋｌｘ）の範囲である。
【００３０】
ステップＳ１２においては、測定した環境照度レベルＬ（ｔ）に従って画像のコントラストを適応させることにより、調整画像を得る。有利な一変形例において、画像調整は、環境照度レベルの関数として実行されるか、または、実行されない（環境照度値が高い場合は実行され、環境照度値が低い場合は実行されない）。非限定的な一例において、画像のコントラストは、測定した環境照度レベルが所与の値を上回る場合にのみ適応される。実際、屋内または夜間環境等の微光条件において、視認条件は、ユーザにとって良好と考えられ、コントラストを適応させることには、視覚的に不快な効果および／または疲れさせる効果を生じるリスクがある。さらに、コントラストを適応させることは、装置の電力消費に影響を及ぼし、バッテリ持続時間を損なう可能性もある。所与の値は、たとえば１００ルクス〜３００ルクスの値である。この所与の値は、たとえばユーザインターフェースを介してユーザが調整可能な設定パラメータである。別の例において、所与の値は、表示装置の製造業者により設定されたパラメータである。さらに別の例において、所与の値は、ユーザプロファイリング技術に従って、表示装置により自動的に決定される。
【００３１】
非限定的な一実施形態によれば、コントラストは、測定した環境光レベルＬ（ｔ）に従ってコントラストを強くすることにより適応される。より厳密に、コントラストは、環境照度レベルによって決まるコントラスト増強パラメータμによりパラメータ化された任意の種類のコントラスト増強技術を適用することによって、調整画像上で強められる。言い換えると、調整画像の輝度は、現在測定した環境照度レベルに応じて、「ＣＥμ」で表されるパラメトリック伝達関数を画像の輝度に適用することにより求められる。表記「ＣＥμ」は、「ＣＥ」で表される伝達関数がパラメータμによって決まるパラメトリック伝達関数であり、μ自体が環境照度によって決まることを反映させたものである。測定した環境照度レベルが時間とともに変化している場合は、コントラスト増強パラメータμひいてはパラメトリック伝達関数も、環境照度レベルの変化に応じて経時的に変化する。たとえば、パラメトリック伝達関数ＣＥμは、コントラスト増強パラメータμによりパラメータ化されている。第１の変形例においては、コントラスト増強が線形伸長であり、伝達関数が線形である。パラメータμは、伝達関数の形状である。第２の変形例においては、コントラスト増強が区分的線形伸長であり、伝達関数は、異なる形状の連続的な線形カーブを含む区分的線形伝達関数である。第２の変形例によれば、パラメータμは、区分的線形伝達関数のさまざまな線形区分の異なる形状のうちの最も高い形状と関連する。さらに別の変形例において、コントラスト増強には、ガンマ変換を含む。この場合、パラメータμは、ガンマと関連する。パラメータが環境照度レベルによって決まるその他任意の変形例のパラメトリックコントラスト増強関数は、開示の原理と互換性を有する。μ＝ｇ（Ｌ（ｔ））で表される第１の関数によって伝達関数のパラメータ（コントラスト増強パラメータμ）が求められるのが好都合であり、ここで、「ｔ」は時間を表し、Ｌ（ｔ）は時間ｔでの環境照度レベルを表す。第１の関数ｇ（Ｌ（ｔ））は、照度レベルとともに完全かつ連続的に増加している。開示の原理とは、如何なるパラメトリック型の完全かつ連続的に増加する関数も互換性を有し、線形、対数、および多項式が挙げられるが、これらに限定されない。異なるパラメトリック型の完全かつ連続的に増加する関数は、それぞれの形状が異なるため（線形、対数、多項式）、環境光の同じ変化に対して異なる影響を及ぼす。増加関数のパラメトリック型は、表示画面の特性によって決まるのが好都合であり、たとえば、ユーザテストを通じて実行される。
【００３２】
ステップＳ１４においては、表示装置での表示用に調整した画像を送信することにより、画像の表示可視性を適応させる。
【００３３】
第１の任意選択的かつ非限定的な一実施形態によれば、（Ｉで表される）画像は、高周波成分ＩｈおよびＩ−Ｉｈに等しい低周波成分Ｉｌに分離される。言い換えると、画像を表す信号は、低周波部分または部および高周波の一部の部分に分離される。この分離は、多くの異なる種類のフィルタを用いて信号をフィルタリングすることにより実行されるようになっていてもよく、反復メディアンフィルタ、エッジ保存フィルタ、バイラテラルフィルタ、およびローリングガイダンスフィルタが挙げられるが、これらに限定されない。この任意選択的な変形例においては、（上述の）環境照度レベルによって決まる伝達関数を適用することによって、低周波成分Ｉｌのみが修正されるとともに、修正された低周波成分が高周波成分と再度組み合わされることにより、調整された画像が得られるのが好都合である。低周波成分に関してのみコントラストを増強するのは、低周波成分が高周波成分よりも高い信号ダイナミックを有することから都合が良い。通常、高周波成分においては、２〜３個の値のみでエッジが広がるが、（コントラスト増強を適用して）これら２〜３個の値をさらに広げると、望ましくないアーチファクトが生じる可能性が高い。一般性を損なうことなく、２つの成分を再度組み合わせることは、両成分を追加することに対応し、分離の逆演算を表す。より形式的には、第２の任意選択的な実施形態に係る調整画像Ｉａを式（１）のように書くことができる。
Ｉａ＝ＣＥμ＊（Ｉ−Ｉｈ）；μ＝ｇ（Ｌ（ｔ）  （１）
【００３４】
第２の任意選択的かつ非限定的な一実施形態によれば、第１の実施形態と同様に、画像が高周波成分Ｉｈおよび低周波成分Ｉｌに分離される。言い換えると、画像を表す信号は、低周波部分または部および高周波の一部の部分に分離され、信号の高周波部（画像の成分Ｉｈ）は、信号の修正された低周波部（第１の実施形態において説明した画像の成分）との再組み合わせに先立って、増幅によりエッジが増強されるとともに、画像が鮮明化される。より厳密に、画像の調整には、時間ｔに測定した環境照度レベルＬ（ｔ）によって決まる増幅係数αで画像の信号の高周波部（成分Ｉｈ）を増幅することをさらに含む。より形式的には、第２の任意選択的な実施形態に係る調整画像Ｉａを式（２）のように書くことができる。
Ｉａ＝ＣＥμ＊（Ｉ−Ｉｈ）＋α＊Ｉｈ  （２）
【００３５】
グローバル鮮明化
第２の任意選択的な実施形態の第１の変形例（グローバル鮮明化と称する）において、画像の増幅係数αは、測定した環境照度レベルＬ（ｔ）とともに増加する当該測定した環境照度レベルの第２の関数ｇ’によってグローバルに決定される（α＝ｇ’（Ｌ（ｔ）））。第２の関数は、如何なるパラメトリック型であってもよく、線形、多項式、正弦、および指数関数が挙げられるが、これらに限定されない。第１の例において、第１および第２の関数は、同じ関数である。別の例において、これらは、異なる関数である。関数の型は、色域または感度等の表示特性によって決まり、ユーザテストに従って調節されるのが好都合である。グローバル鮮明化の変形例において、増幅係数は、グローバル増幅係数であり、空間的に変化しない。グローバル係数は、画像のすべての画素で同じ値を有し、測定した環境照度レベルＬ（ｔ）のみによって決まる。
【００３６】
ローカル鮮明化
第２の任意選択的な実施形態の第２の変形例（ローカル鮮明化と称する）において、画像の増幅係数αは、画像の要素の明度および測定した環境光レベルの両者に応じて局所的に決定される。用語「要素」は、たとえば少なくとも３つの色成分値によって表された所与の色特性と関連付けられた画像の任意の部分を表す。たとえば、要素は、画像の画素に対応する。別の例において、要素は、色成分値が類似する画像の一組の画素に対応する。別の例において、要素は、コントラストが抽出されたパッチに対応する。明瞭化のため、特に制限なく、要素は、空間座標（ｘ，ｙ）を有するものと考えられる。要素が表すものに応じて、空間座標は、たとえば整数（画素座標を表す）または整数集合（たとえば、画素集合を表す）である。Ｉａ（ｘ，ｙ）が各点／要素（ｘ，ｙ）での調整画像値を表すものと考えると、式（２）は、以下のように書き換えられる。
Ｉａ（ｘ，ｙ）＝ＣＥμ＊（Ｉ（ｘ，ｙ）−Ｉｈ（ｘ，ｙ））＋α（ｘ，ｙ）＊Ｉｈ（ｘ，ｙ）  （２）
【００３７】
明瞭化のため、値Ｉａ（ｘ，ｙ）、（Ｉｌ（ｘ，ｙ）、およびＩｈ（ｘ，ｙ）は、対応する画像中の空間座標（ｘ，ｙ）に対応するエリアの成分値を表す。一般性を損なうことなく、成分値は、輝度値であってもよいし、３つ組の赤色、緑色、青色成分値であってもよい。ローカル鮮明化の変形例によれば、増幅係数は、画像の局所的な明度、さらには測定した光レベルに応じて画像中で局所的に変化するローカル増幅係数である。コントラストは、物体（または、その画像中の描写）を区別しやすくする輝度または色の差として知られている。現実世界の視覚において、コントラストは一般的に、当該物体および視野が同じ他の物体の色および明るさの差によって決まる。当該画像については、知覚コントラストが決定されるのが好都合であり、画像のコントラストと測定した環境光レベルとを混ぜ合わせたものとして規定され、環境光レベルが高いほど、知覚コントラストは弱くなる。コントラストに反して、知覚コントラストは、所与の環境照明条件下における物体の区別しやすさを表す測定基準である。
【００３８】
画像Ｉ（ｘ，ｙ）の知覚コントラストＰｔ（ｘ，ｙ）の決定には、画像のコントラストＣｔ（ｘ，ｙ）を抽出することを含む。たとえば、二乗平均平方根（RMS）コントラストが抽出される。簡潔に述べると、これは、所与のサイズのパッチ（矩形）上の輝度信号の標準偏差を演算することに等しい。パッチのサイズ（および、数）に応じて、コントラストの精度およびそれを抽出するのに要する演算リソースは変化する。その他任意のコントラスト測定基準としては、ＷｅｂｅｒコントラストまたはＭｉｃｈｅｌｓｏｎコントラストが挙げられるが、これらに限定されない。また、これらの対応する抽出技術は、開示の原理と互換性を有する。ＲＭＳコントラストの演算は、演算集約的ではなく、スマートフォンまたはタブレット等のモバイル機器上で利用可能な演算リソースと互換性を有することから都合が良い。
【００３９】
画像Ｉ（ｘ，ｙ）の知覚コントラストＰｔ（ｘ，ｙ）の決定には、測定した照度レベルとともに減少する第３の関数によって、抽出したコントラストレベルを局所的に調整することをさらに含む。たとえば、以下の式に従って、抽出したローカルコントラストレベルＣｔ（ｘ，ｙ）に、指数関数およびスケールパラメータσを含む第３の関数を乗じる。
Ｐｔ（ｘ，ｙ）＝Ｃｔ（ｘ，ｙ）＊ｅｘｐ（−Ｌ（ｔ）／２σ２）  （３）
【００４０】
スケールパラメータσは、環境照度レベルと知覚コントラストとの間の切れ目を決定する。これは、表示装置の特性によって決まり、ユーザテストを通じて調節されるのが好都合である。
【００４１】
ローカル鮮明化の変形例によれば、画像中の要素のローカル係数α（ｘ，ｙ）は、知覚コントラストレベルＰｔ（ｘ，ｙ）とともに減少する画像中の要素の当該知覚コントラストレベルＰｔの第４の関数によって求められる（α（ｘ，ｙ）＝ｆ（Ｐｔ（ｘ，ｙ）））。第１の実施形態と同様に、第４の関数は、如何なるパラメトリック型であってもよく、線形、多項式、余弦、および指数関数が挙げられるが、これらに限定されない。
【００４２】
アンシャープマスキングは、画像鮮明化技術である。この名称の「アンシャープ」は、この技術が不鮮明（または、不鮮鋭）なネガ画像を用いて元の画像のマスクを作成するという事実に由来する。そして、アンシャープマスクは、ポジ（元の）画像との組み合わせによって、元の画像よりも鮮明な画像を作成する。得られる画像は、鮮明ではあるものの、一般的には画像の被写体の表示精度が劣っている。アンシャープマスクは一般的に、画像の高周波成分を増幅する線形または非線形フィルタである。ローカルおよびグローバル鮮明化の変形例では、環境光レベルに従って知覚コントラストレベルを決定し、知覚コントラストに応じて画像の高周波成分を増幅することにより、アンシャープマスキング技術を適応させることによって、環境光レベルが高くなった場合に鮮明化レベルを高くするのが好都合である。
【００４３】
ローカル鮮明化の変形例は、視覚的に有意なエリアを表すコントラストの最も強いエリアに鮮明化が集中し、他のより同質なエリアは不変（または、低鮮明）とされることから、さらに都合が良い。ローカル鮮明化の変形例では、同質エリアにおける強い鮮明化の欠点（ノイズ増幅および／または視覚的に不快な効果の生成）が制限される。
【００４４】
上述の任意の変形例によれば、鮮明化画像に対応する調整画像は、表示装置での表示用に提供される。
【００４５】
有利な一変形例において、画像上の組み合わせまたは再組み合わせの演算（加減算および乗算）は、画像のコード化領域に留まるように、Ｄｅｎｇによる「Ａ  ｇｅｎｅｒａｌｉｚｅｄ  ｕｎｓｈａｒｐ  ｍａｓｋｉｎｇ  ａｌｇｏｒｉｔｈｍ」（IEEE Transactions on Image Processing, 2011）に提案されているような一般化線形システム（GLS）にて実行される。
【００４６】
図２は、特定かつ非限定的な一実施形態に係る、画像の調整により適応された表示可視性の一例を示している。図２は、異なる照明条件下の表示装置２１、２１を示しており、表示装置２０が屋内条件等の通常の照明条件下にあり、表示装置２１が屋外日なた条件等のより明るい条件下にある。通常の照明条件下で表示装置２０により画像２００が表示されているが、（測定した環境光レベルが所与の値を下回るため）コントラストは適応されていない。図２は、より明るい照明条件下で表示装置２１により表示された調整画像２１０をさらに示しているが、これは、開示の原理の一変形例に従って画像２００のコントラストが適応されたものであり、環境光レベルが高くなっているにも関わらず、表示されている鳥が依然として鮮明に区別可能であることを示している。図２の両表示装置２０、２１は、異なる照明条件下での同じ表示装置を示している。
【００４７】
図３は、画像の表示可視性を適応させる処理装置３を示している。開示の原理の特定かつ非限定的な一実施形態によれば、処理装置３は、ソースから得られた画像を受信するように構成された入力３０を備える。開示の原理のさまざまな実施形態によれば、ソースは、
たとえばビデオメモリ等のローカルメモリ、ＲＡＭ、フラッシュメモリ、ＳＳＤ、ハードディスク、
たとえば大容量ストレージのインターフェース等のストレージインターフェース、ＲＯＭ、光ディスクまたは磁気サポート、
たとえば有線インターフェース（たとえば、バスインターフェース、ワイドエリアネットワークインターフェース、ローカルエリアネットワークインターフェース）または無線インターフェース（たとえば、IEEE 802.11インターフェース、Bluetoothインターフェース、またはセルラーネットワークインターフェース）等の通信インターフェース、
を含む集合に属する。
【００４８】
処理装置３は、ユーザから設定データを受信する任意選択的な入力３１をさらに備える。設定データは、処理装置３を設定するため、ユーザインターフェースを介してユーザにより生成される。開示の原理のさまざまな実施形態によれば、ユーザインターフェースは、
タッチスクリーンおよび設定データを生成する付属コントローラベースのファームウェア、
キーボード、
ユーザインターフェースが遠隔装置上に表示され、設定データが受信されるネットワークインターフェース、
を含む集合に属する。
【００４９】
より一般的には、設定データを提供可能な如何なるユーザインターフェースも、開示の原理と互換性を有する。
【００５０】
処理装置３は、たとえば光検出器等、周囲環境からの環境照度レベルを受光して測定するように構成されたセンサ３２をさらに備える。センサは、たとえばスマートフォンに埋め込まれたカメラの光検出器である。環境照度を検出して測定し得る如何なる光検出器も、開示の原理と互換性を有する。
【００５１】
入力３０および３１ならびに光検出器３２は、環境照度レベルに従って画像のコントラストを適応させることにより画像を調整するように構成された処理モジュール３４に結び付けられている。処理モジュール３４は、調整した画像を表示手段３８に送信することによって、画像の表示可視性を適応させるようにさらに構成されている。
【００５２】
開示の原理のさまざまな実施形態によれば、表示手段３８は、
ＬＣＤ表示画面、
ＬＥＤ表示画面、
ＯＬＥＤ表示面、
を含む集合に属する。
【００５３】
より一般的には、調整された画像を表示可能な如何なる表示手段も、開示の原理と互換性を有する。
【００５４】
図４は、特定かつ非限定的な一実施形態に係る、処理装置３の例示的なアーキテクチャを表しており、処理装置３は、画像の表示可視性を適応させるように構成されている。処理装置３は、内部メモリ４２０（たとえば、RAM、ROM、EPROM）と併せて、たとえばＣＰＵ、ＧＰＵ、および／またはＤＳＰ（Digital Signal Processorの英語頭字語）の１つまたは複数のプロセッサ４１０を備える。処理装置３は、出力情報のディスプレイへの送信、ユーザによるコマンドおよび／もしくはデータの入力可能化（たとえば、キーボード、マウス、タッチパッド、ウェブカメラ、ディスプレイ）、ならびに／またはネットワークインターフェース上のデータの送受信を行うように構成された１つまたは複数の入出力インターフェース４３０と、処理装置３の外部に存在し得る電源４４０とを備える。
【００５５】
例示的かつ非限定的な一実施形態によれば、処理装置３は、メモリ４２０に格納されたコンピュータプログラムをさらに含む。コンピュータプログラムは、処理装置３、特にプロセッサ４１０により実行された場合に、図２を参照して説明した処理方法を処理装置３に実行させる命令を含む。一変形例によれば、コンピュータプログラムは、処理装置３の外部で、持続性デジタルデータサポート、たとえば、ＳＤカード、ＨＤＤ、ＣＤ−ＲＯＭ、ＤＶＤ、リードオンリーおよび／もしくはＤＶＤドライブ、ならびに／またはＤＶＤリード／ライトドライブ等、当技術分野においてすべて既知の外部記憶媒体に格納されている。このように、処理装置３は、コンピュータプログラムを読み出すインターフェースを備える。さらに、処理装置３は、対応するＵＳＢポート（図示せず）を通じて、１つまたは複数のユニバーサルシリアルバス（USB）型記憶装置（たとえば、「メモリスティック」）にアクセスすることも可能である。
【００５６】
例示的かつ非限定的な実施形態によれば、処理装置３は、明るい環境（場合により屋外だが、屋外環境に限定されない）で用いられる表示装置であって、
スマートフォン、
タブレット、
タブレットコンピュータ、
ラップトップコンピュータ、
シースルー表示装置、
デスクトップコンピュータディスプレイ、
ＴＶ、
を含む集合に属する。
【図１】
2019049692.tif 000003
【図２】
2019049692.tif 000004
【図３】
2019049692.tif 000005
【図４】
2019049692.tif 000006
【外国語明細書】
2019049692000001.pdf